(57)【要約】【課題】娯楽用機器自体を買い替えることなく、娯楽用機器に新たな作動や購入者毎に応じた作動を行なうことができるプログラムを、通信網を介して利用者に提供可能にして、娯楽用機器の所有者に対して新たな楽しみを提供できるようにした娯楽用機器の利用方法を提供する。【解決手段】娯楽用機器に対して新たなプログラムを付加して利用する娯楽用機器の利用方法であって、利用者が希望するプログラムをサーバから利用者の通信端末に送信するステップ、前記通信端末に取り外し可能に装着された記憶媒体に前記プログラムをダウンロードするステップと、前記プログラムをダウンロードした記憶媒体を前記通信端末から取り外した後、娯楽用機器に装着させ、該娯楽用機器で該プログラムに基づいた作動を行なわせるステップと、からなることを特徴とする。【選択図】        図１
2004290283.tif 000002
【特許請求の範囲】
【請求項１】
娯楽用機器に対して新たなプログラムを付加して利用する娯楽用機器の利用方法であって、
利用者が希望するプログラムをサーバから利用者の通信端末に送信するステップ、
前記通信端末に取り外し可能に装着された記憶媒体に前記プログラムをダウンロードするステップと、
前記プログラムをダウンロードした記憶媒体を前記通信端末から取り外した後、娯楽用機器に装着させ、該娯楽用機器で該プログラムに基づいた作動を行なわせるステップと、
からなることを特徴とする娯楽用機器の利用方法。
【請求項２】
前記記憶媒体が、ＵＩＭ（Ｕｓｅｒ  Ｉｄｅｎｔｉｔｙ  Ｍｏｄｕｌｅ）カードであることを特徴とする請求項１記載の娯楽用機器の利用方法。
【請求項３】
前記ＵＩＭ（Ｕｓｅｒ  Ｉｄｅｎｔｉｔｙ  Ｍｏｄｕｌｅ）カードが、ＩＳＯ／ＩＥＣ−７８１０のＩＤ−０００に定められた寸法を有していることを特徴とする請求項２記載の娯楽用機器の利用方法。
【発明の詳細な説明】
【０００１】
【発明の属する技術分野】
本発明は、玩具、楽器、ゲーム用機器などの娯楽用機器に対して利用者が希望する新たなプログラムを付加して利用することが可能な娯楽用機器の利用方法に関する。
【０００２】
【従来技術】
従来から、プログラムに基づき種々の作動を行なう玩具、楽器、ゲーム用機器などの娯楽用機器が市販されている。
これらの娯楽用機器は、市販される際に所定のプログラムがメモリに記憶された状態で顧客に対して販売されるため、これらの娯楽用機器を購入した顧客は、しばらく使用した後に飽きてしまい、また新たな娯楽用機器の購入を繰り返すなど、資源の無駄が生じるという問題がある。
【０００３】
また、ゲーム機器などでは、プログラムが記憶された記憶媒体だけを購入することで、種々のゲームを楽しむことも可能であるが、既製品のプログラムであるため購入者が誰であろうと同じであり物足りなさがあるという問題もある。（例えば、特許文献１参照）
【０００４】
【特許文献１】
特開平１１−８８５０８
【０００５】
【発明が解決しようとする課題】
そこで、本発明は、娯楽用機器自体を買い替えることなく、娯楽用機器に新たな作動や購入者毎に応じた作動を行なうことができるプログラムを、通信網を介して利用者に提供可能にして、娯楽用機器の所有者に対して新たな楽しみを提供できるようにした娯楽用機器の利用方法を提供する。
【０００６】
【課題を解決するための手段】
本発明の娯楽用機器の利用方法は、娯楽用機器に対して新たなプログラムを付加して利用する娯楽用機器の利用方法であって、利用者が希望するプログラムを、サーバから利用者の通信端末に送信するステップ、前記通信端末に取り外し可能に装着された記憶媒体に前記プログラムをダウンロードするステップと、前記プログラムをダウンロードした記憶媒体を前記通信端末から取り外した後、娯楽用機器に装着させ、該娯楽用機器で該プログラムに基づいた作動を行なわせるステップと、からなることを特徴とする。
【０００７】
また、本発明の娯楽用機器の利用方法は、前記記憶媒体が、ＵＩＭ（ＵｓｅｒＩｄｅｎｔｉｔｙ  Ｍｏｄｕｌｅ）カードであることを特徴とする。
【０００８】
更に、前記ＵＩＭ（Ｕｓｅｒ  Ｉｄｅｎｔｉｔｙ  Ｍｏｄｕｌｅ）カードが、ＩＳＯ／ＩＥＣ−７８１０のＩＤ−０００に定められた寸法を有していることを特徴とする。
【０００９】
【発明の実施の形態】
以下、本発明の実施形態を図面に基づいて詳細に説明する。
図１は、本発明の実施形態の概略構成図、図２は、本発明の実施形態に使用するＩＣカードの平面図、図３は、本発明の実施形態に使用するＩＣカードからＵＩＭカードを取り外す状態を示す図、図４は、本発明の実施形態のシステムブロック図、図５は、本発明の実施形態に使用する玩具とＵＩＭカードを示す図、図６は、本発明の実施形態の処理手順を示すフローチャートである。
【００１０】
図１に示すように、インターネット１を通じてプログラムを供給するサーバ２と、そのサーバ２からプログラムを受信する通信端末３とが通信可能に接続されている。
また、通信端末３には、ＩＣカードリーダライタ５が備えられ、ＩＣカード４の記憶手段に記憶された利用者固有情報を読み取ったり、更にインターネット１を通じてサーバ２から受信した、娯楽用機器６に種々の作動を行なわせるプログラムを書き込んだりできるようにしてある。
【００１１】
ＩＣカード４は、図２に示すように、カード基材４ｂから取り外し可能に形成された、ＣＰＵやメモリ及び電極などを一体化したＩＣモジュールを搭載したＩＣキャリアであって、このメモリに利用者本人のＩＤ情報が予め登録された記憶媒体であるＵＩＭ（Ｕｓｅｒ  Ｉｄｅｎｔｉｔｙ  Ｍｏｄｕｌｅ）カード４ａを備えている。
ＵＩＭカード４ａは、例えば外形の縦寸法が約１５ｍｍ、横寸法が約２５ｍｍ程度で、これに縦寸法が約１０．６ｍｍ、横寸法が約１２．０ｍｍ程度のＩＣモジュールが搭載されている。
また、このＵＩＭカード４ａの右下部分には、対象機器への装着時の位置決めとなる切り欠きが形成され、この切り欠きの長さは約３ｍｍ程度となっている。この記憶媒体であるＵＩＭカード４ａの寸法は、ＩＳＯ／ＩＥＣ−７８１０のＩＤ−０００に定められた寸法を有し、携帯電話等で用いられるＵＩＭカードに準拠したサイズであることが好ましい。
【００１２】
そして、ＵＩＭカード４ａの周縁におけるカード基材４ｂの所定領域には、スリット部７が４方に形成され、また、このスリット部７の複数の所定箇所には、ＵＩＭカード４ａとカード基材４ｂとを切り取り可能に接続させた接続部８が設けられている。
したがって、カード基材４ｂからＵＩＭカード４ａを指などで押出すことで、図３に示すように、ＵＩＭカード４ａを取り外すことができるように構成されている。
【００１３】
また、利用者が所有する娯楽用機器６には、ＵＩＭカード４ａを装着及び取り外し可能に形成され、ＵＩＭカード４ａのメモリに記憶されたプログラム等の情報を読み取り可能に設けたＵＩＭカード装着部が備えられている。
【００１４】
図４に示すように、サーバ２には、通信手段９、利用者固有情報データベース１０、プログラムデータベース１１、判定手段１２、制御手段１３などが備えられている。
利用者固有情報データベース１０には、予め利用者本人を特定可能なＩＤ情報が登録されている。
また、プログラムデータベース１１には、娯楽用機器６に応じて様々な動作や発生音などを行なわせるためのプログラムが複数種類登録されている。
判定手段１２は、通信手段３からＩＤ情報を受信した際に、受信したＩＤ情報が利用者固有情報データベース１０に登録されているか否かを判定する機能を有している。
【００１５】
また、通信手段３は、表示手段１４、通信手段１５、記憶手段１６、入力手段１７、制御手段１８などを有し、ＩＣカードリーダライタ５には、情報読取手段１９と情報書込手段２０を備えている。
【００１６】
次に、本発明の娯楽用機器の利用方法に関する処理手順について、図６のフローチャートに基づいて説明する。
まず、利用者は、ＩＣカードリーダライタ５にＩＣカード４をセットさせた後、
ＩＣカードリーダライタ５でＩＣカード４のＵＩＭカード４ａのメモリに記憶されされている利用者のＩＤ情報を読み取る。（ステップＳ１）
通信端末３の入力手段１７から送信を希望するプログラム指定情報を入力し、利用者のＩＤ情報と共にサーバ２に送信する。（ステップＳ２）
【００１７】
サーバ２では、受信した利用者のＩＤ情報が、利用者固有情報データベース１０に予め利用者本人のＩＤ情報として登録されているか否かを判定手段１２により判定処理する。（ステップＳ３）
その判定処理の結果（ステップＳ４）、利用者固有情報データベース１０に登録されている場合にだけ、プログラムデータベース１１に記憶されているプログラムの中から送信希望のあったプログラムを抽出して、通信端末３に対してこのプログラムを送信する。（ステップＳ５）
【００１８】
次に、通信端末３からＩＣカードリーダライタ５を介して、ＩＣカード４のＵＩＭカード４ａのメモリに受信したプログラムを書込み、記憶させる。（ステップＳ６）
そして、利用者は、ＩＣカード４からＵＩＭカード４ａを取り外して分離した後、娯楽用機器６のＵＩＭカード装着部にＵＩＭカード４ａをセットする。（ステップＳ７）
【００１９】
そして、娯楽用機器６でＵＩＭカード４ａのメモリに記憶されたプログラムを読み取り、プログラムに応じた作動を行なわせる。（ステップＳ８）
以上により、娯楽用機器６に対して新たな動作や音声発生などを行なわせることができる。
【００２０】
【発明の効果】
以上説明したように、本発明の娯楽用機器の利用方法は、通信網を介して新たなプログラムを利用者側で受信し、娯楽用機器にそのプログラムを簡単に組み込むことができるので、娯楽用機器自体を買い替えることなく、娯楽用機器に新たな作動や購入者毎に応じた作動を行なうことができ、娯楽用機器の所有者に対して新たな楽しみを提供できるという効果がある。
【図面の簡単な説明】
【図１】本発明の実施形態の概略構成図である。
【図２】本発明の実施形態に使用するＩＣカードの平面図である。
【図３】本発明の実施形態に使用するＩＣカードからＵＩＭカードを取り外す状態を示す図である。
【図４】本発明の実施形態のシステムブロック図である。
【図５】本発明の実施形態に使用する玩具とＵＩＭカードを示す図である。
【図６】本発明の実施形態の処理手順を示すフローチャートである。
【符号の説明】
１  インターネット
２  サーバ
３  通信端末
４  ＩＣカード
４ａ  ＵＩＭカード
４ｂ  カード基材
５  ＩＣカードリーダライタ
６  娯楽用機器
７  スリット部
８  接続部
９，１５  通信手段
１０  利用者固有情報データベース
１１  プログラムデータベース
１２  判定手段
１３，１８  制御手段
１４  表示手段
１６  記憶手段
１７  入力手段
１９  情報読取手段
２０  情報書込手段
【図１】
2004290283.tif 000003
【図２】
2004290283.tif 000004
【図３】
2004290283.tif 000005
【図４】
2004290283.tif 000006
【図５】
2004290283.tif 000007
【図６】
2004290283.tif 000008